(57)【要約】【課題】  携帯端末の所持者の移動状況に応じてその着信許可／拒否の設定、着信音量などの設定を自動的に変更する、携帯端末を提供することを目的とする。【解決手段】  加速度センサーを備えた携帯端末であって、加速度センサーで検出した単位時間あたりの電圧検出回数と、その電圧の大きさに関する情報を記録する記録部と、記録部に記録した単位時間あたりの電圧検出回数に基づいて、予め定められた所定時間内の電圧検出回数を判定し、且つ電圧検出回数と電圧の大きさに関する情報とを用いて、携帯端末の所持者の移動状況を判定する移動状況判定部と、移動状況の変化にあわせて、携帯端末における着信許可／拒否の設定、着信音が鳴るかならないかの設定、着信音量の設定、バイブレーション機能の設定のうち、いずれか一以上を行う着信制御部と、を有する携帯端末である。【選択図】  図１
2008148155.tif 000002
【特許請求の範囲】
【請求項１】
加速度センサーを備えた携帯端末であって、
前記加速度センサーで検出した単位時間あたりの、所定値以上の大きさの電圧を検出した電圧検出回数と、その電圧の大きさに関する情報を記録する記録部と、
前記記録部に記録した単位時間あたりの電圧検出回数に基づいて、予め定められた所定時間内の電圧検出回数を判定し、且つ前記電圧検出回数と前記電圧の大きさに関する情報とを用いて、前記携帯端末の所持者の移動状況を判定する移動状況判定部と、
前記移動状況の変化にあわせて、前記携帯端末における着信許可／拒否の設定、着信音が鳴るかならないかの設定、着信音量の設定、バイブレーション機能の設定のうち、いずれか一以上を行う着信制御部と、
を有することを特徴とする携帯端末。
【請求項２】
加速度センサーを備えた携帯端末であって、
前記加速度センサーで所定値以上の大きさの電圧を検出した時刻とその電圧の大きさに関する情報を記録する記録部と、
予め定められた所定時間内の電圧の検出回数を前記記録部に記録した情報に基づいて判定し、且つ前記電圧検出回数と前記電圧の大きさに関する情報とを用いて、前記携帯端末の所持者の移動状況を判定する移動状況判定部と、
前記移動状況の変化にあわせて、前記携帯端末における着信許可／拒否の設定、着信音が鳴るかならないかの設定、着信音量の設定、バイブレーション機能の設定のうち、いずれか一以上を行う着信制御部と、
を有することを特徴とする携帯端末。
【請求項３】
前記移動状況判定部は、
前記所定時間内の電圧の大きさの平均値である平均電圧を前記記録部に記録した情報に基づいて算出し、前記電圧検出回数及び前記平均電圧を用いて、前記携帯端末の所持者の移動状況を判定し、
前記着信制御部は、
前記判定した移動状況に基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項４】
前記移動状況判定部は、
前記所定時間内の電圧の大きさの平均値である平均電圧を前記記録部に記録した情報に基づいて算出し、前記電圧検出回数及び前記平均電圧を用いて、前記携帯端末の所持者の移動状況を判定し、且つ、前記電圧検出回数に応じたポイントを判定し、前記平均電圧に応じたポイントを判定し、それらの各ポイントを演算することにより合計ポイントを算出し、
前記移動状況と前記合計ポイントとを前記着信制御部に渡し、
前記着信制御部は、
前記判定した移動状況と合計ポイントとに基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項５】
前記移動状況判定部は、
前記電圧検出回数と、前記電圧の大きさが基準値を超えた回数とを用いて前記携帯端末の所持者の移動状況を判定し、
前記着信制御部は、
前記判定した移動状況に基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項６】
前記移動状況判定部は、
前記電圧検出回数と、前記電圧の大きさが基準値を超えた回数とを用いて前記携帯端末の所持者の移動状況を判定し、且つ、前記電圧検出回数に応じたポイントを判定し、前記電圧の大きさが基準値を超えた回数に応じたポイントを判定し、それらの各ポイントを演算することにより合計ポイントを算出し、
前記移動状況と前記合計ポイントとを前記着信制御部に渡し、
前記着信制御部は、
前記判定した移動状況と合計ポイントとに基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項７】
前記移動状況判定部は、
前記所定時間における電圧の大きさが所定値未満になった時点と電圧の大きさとによって構成される、所定時間に対する任意の形状の面積を算出し、前記電圧検出回数と前記面積とを用いて前記携帯端末の所持者の移動状況を判定し、
前記着信制御部は、
前記判定した移動状況に基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項８】
前記移動状況判定部は、
前記所定時間における電圧の大きさが所定値未満になった時点と電圧の大きさとによって構成される、所定時間に対する任意の形状の面積を算出し、前記電圧検出回数と前記面積とを用いて前記携帯端末の所持者の移動状況を判定し、且つ、前記電圧検出回数に応じたポイントを判定し、前記面積に応じたポイントを判定し、それらの各ポイントを演算することにより合計ポイントを算出し、
前記着信制御部は、
前記判定した移動状況と合計ポイントとに基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項９】
前記移動状況判定部は、
前記所定時間における単位時間と電圧の大きさとによって構成される、所定時間に対する任意の形状の面積を算出し、前記電圧検出回数と前記面積とを用いて前記携帯端末の所持者の移動状況を判定し、
前記着信制御部は、
前記判定した移動状況に基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項１０】
前記移動状況判定部は、
前記所定時間における単位時間と電圧の大きさとによって構成される、所定時間に対する任意の形状の面積を算出し、前記電圧検出回数と前記面積とを用いて前記携帯端末の所持者の移動状況を判定し、且つ、前記電圧検出回数に応じたポイントを判定し、前記面積に応じたポイントを判定し、それらの各ポイントを演算することにより合計ポイントを算出し、
前記着信制御部は、
前記判定した移動状況と合計ポイントとに基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項１１】
前記移動状況判定部は、
前記記録部に記録した情報のうち、前記検出した電圧の大きさと、所定数前に検出した電圧の大きさとの差の絶対値の総和と、前記電圧検出回数とを用いて、前記携帯端末の所持者の移動状況を判定し、
前記着信制御部は、
前記判定した移動状況に基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項１２】
前記移動状況判定部は、
前記記録部に記録した情報のうち、前記検出した電圧の大きさと、所定数前に検出した電圧の大きさとの差の絶対値の総和と、前記電圧検出回数とを用いて、前記携帯端末の所持者の移動状況を判定し、且つ、前記電圧検出回数に応じたポイントを判定し、前記総和に応じたポイントを判定し、それらの各ポイントを演算することにより合計ポイントを算出し、
前記着信制御部は、
前記判定した移動状況と合計ポイントとに基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項１３】
前記移動状況判定部は、
前記判定した移動状況が「停止状態」を示す情報である場合には、その状態が予め定められた回数だけ連続して同じ状態である場合に、前記判定した移動状況を前記着信制御部に渡す、
ことを特徴とする請求項３から請求項１２のいずれかに記載の携帯端末。
【発明の詳細な説明】
【技術分野】
【０００１】
本発明は、携帯電話、ＰＨＳ、ＰＤＡなど（以下、「携帯端末」という）において、所持者の移動状況に応じてその着信許可／拒否の設定、着信音量などの設定を自動的に変更する、携帯端末に関する。
【背景技術】
【０００２】
携帯端末では、携帯端末へ電話が着信したこと、或いはメールが着信したことを、その所持者に音や振動で知らせている。
【０００３】
しかし近年、公共の場所での着信音の発生やバイブレーション機能の振動に関して携帯端末の使用にかかるマナーが社会問題化しており、例えば電車内や映画館などの公共施設では電源を切ったり、音を鳴らせないようにアナウンスがされている。そこで周囲の迷惑とならないように着信拒否の設定としたり、着信音量を０（オフ）にする、あるいはバイブレーション機能をオフにする対応を行うことが多い。ところがこの操作は、携帯端末の所持者が自分で設定を行わなければならないので、その設定を失念してしまうおそれがある。
【０００４】
そこで携帯端末の所持者の移動状況に合わせて自動的に設定の変更が行われることが好ましい。下記特許文献１及び特許文献２では、携帯端末の所持者の移動状況に合わせて携帯電話の制御を行うシステムが開示されている。
【０００５】
【特許文献１】特開２００３−２９８６９０号公報
【特許文献２】特開２００１−２０３７８３号公報
【特許文献３】特開２０００−１７４８５２号公報
【発明の開示】
【発明が解決しようとする課題】
【０００６】
上述の特許文献に開示の発明では、例えば歩行中の携帯電話の使用を制限することは出来たとしても、電車内や映画館、会議中などに電話や電子メールが着信する、着信音を鳴らす、あるいはバイブレーション機能を動作させるなどのことが好ましくない状況を判定することが出来ないので、着信許可／拒否の設定、着信音量やバイブレーション機能などの設定を変更することは出来ない。一方、電車から降りた場合や映画館から出る場合、会議が終了した場合など、つまり歩行状態の時には寧ろ着信許可の設定とし、着信音を鳴らしたり、バイブレーション機能による振動の発生がないと着信があったことに気づかない場合も多い。
【０００７】
つまり、所持者の状況に合わせて着信許可／拒否の設定、着信音量やバイブレーション機能の有無が自動的に設定変更されることが好ましいが、従来は所持者の状況を判定することが難しいので、このような自動的な設定変更を行うことは出来なかった。
【０００８】
また特許文献３には、携帯電話で着信を検出した後に、着信音を鳴らし、その後、携帯電話の利用者が携帯電話に所定以上の振動を与えた場合に、着信音の鳴動を停止させる発明が開示されているが、この発明は、着信、振動の検出、振動強度の判断、振動数の計測、が直列的な処理として行われており、特に振動強度の判断処理において、範囲外の場合には振動数の計測が行われない構成となっている。つまり、振動強度の検出は、振動数の計測のためのいわば、「トリガ」として用いられているに過ぎない。その為、振動強度（振幅）を考慮した処理となっていないので、正確な判定を行うことが難しい。
【課題を解決するための手段】
【０００９】
本願発明者は、携帯端末の所持者の行動について考察を重ねた結果、着信拒否とする状態、着信音やバイブレーション機能を設定しない方が良い状態として所持者が移動していない状況が多く、一方で着信許可とする状態、着信音やバイブレーション機能を設定した方が良い状態として所持者が移動している状況が多いことを知見し、それに基づいて、携帯端末の着信許可／拒否の設定、着信音量やバイブレーション機能について自動的に設定を変更する携帯端末を発明した。
【００１０】
請求項１の発明は、加速度センサーを備えた携帯端末であって、前記加速度センサーで検出した単位時間あたりの、所定値以上の大きさの電圧を検出した電圧検出回数と、その電圧の大きさに関する情報を記録する記録部と、前記記録部に記録した単位時間あたりの電圧検出回数に基づいて、予め定められた所定時間内の電圧検出回数を判定し、且つ前記電圧検出回数と前記電圧の大きさに関する情報とを用いて、前記携帯端末の所持者の移動状況を判定する移動状況判定部と、前記移動状況の変化にあわせて、前記携帯端末における着信許可／拒否の設定、着信音が鳴るかならないかの設定、着信音量の設定、バイブレーション機能の設定のうち、いずれか一以上を行う着信制御部と、を有する携帯端末である。
【００１１】
本発明のように構成することで、携帯端末の所持者の移動状況を判定して着信許可／拒否の設定、着信音や着信音量の設定等を自動的に行う携帯端末が可能となる。また移動状況の判定において、単に電圧の検出回数のみならず、電圧の大きさを用いて判定を行っている。電圧の検出回数は振動を検出した回数であり、電圧の大きさは振動の大きさを意味している。そして電圧の大きさは携帯端末に発生した加速度の大きさと比例関係にある。つまり電圧の大きさを用いて判定を行うことによって、携帯端末、即ち携帯端末を所持する所持者に発生した振動の度合いを考慮して移動状況の判定を行うことが出来るので、より的確な判定処理を行うことが出来る。なお、本明細書において「移動状況」とは、携帯端末（あるいはその所持者）が「停止状態」であるのか、歩いている状態であるのか、走っている状態であるのか（これらを総称して「移動状態」）にあるのか、を示す情報である。なお本明細書では、「移動状態」として歩いている場合と走っている場合の双方を含んでいるが、「所持者が移動している」ことを示す状態であれば、「移動状態」を細分化して判定を行っても良い。
【００１２】
請求項２の発明は、加速度センサーを備えた携帯端末であって、前記加速度センサーで所定値以上の大きさの電圧を検出した時刻とその電圧の大きさに関する情報を記録する記録部と、予め定められた所定時間内の電圧の検出回数を前記記録部に記録した情報に基づいて判定し、且つ前記電圧検出回数と前記電圧の大きさに関する情報とを用いて、前記携帯端末の所持者の移動状況を判定する移動状況判定部と、前記移動状況の変化にあわせて、前記携帯端末における着信許可／拒否の設定、着信音が鳴るかならないかの設定、着信音量の設定、バイブレーション機能の設定のうち、いずれか一以上を行う着信制御部と、を有する携帯端末である。
【００１３】
所持者の移動状況を判定して着信許可／拒否の設定、着信音や着信音量の設定を自動的に行う携帯端末としては、本発明のように構成することによっても実現できる。本発明においても移動状況の判定において、単に電圧検出回数のみならず、電圧の大きさも用いて判定を行っているので、より的確な判定処理を行うことが出来る。
【００１４】
請求項３の発明において、前記移動状況判定部は、前記所定時間内の電圧の大きさの平均値である平均電圧を前記記録部に記録した情報に基づいて算出し、前記電圧検出回数及び前記平均電圧を用いて、前記携帯端末の所持者の移動状況を判定し、前記着信制御部は、前記判定した移動状況に基づいて、前記携帯端末における着信許可／拒否の設定、着信音が鳴るかならないかの設定、着信音量の設定、バイブレーション機能の設定のうち、いずれか一以上を行う、携帯端末である。
【００１５】
上述の発明において、電圧の大きさを用いて処理を行う場合には、平均電圧を算出して処理を行うことが出来る。これによって所定時間内に携帯端末に対して発生した振動の程度（電圧の大きさ）を、平均化することが出来るので、その平均的な動き（電圧検出回数や電圧の大きさ）から移動状況を判定することが出来る。
【００１６】
請求項４の発明において、前記移動状況判定部は、前記所定時間内の電圧の大きさの平均値である平均電圧を前記記録部に記録した情報に基づいて算出し、前記電圧検出回数及び前記平均電圧を用いて、前記携帯端末の所持者の移動状況を判定し、且つ、前記電圧検出回数に応じたポイントを判定し、前記平均電圧に応じたポイントを判定し、それらの各ポイントを演算することにより合計ポイントを算出し、前記移動状況と前記合計ポイントとを前記着信制御部に渡し、前記着信制御部は、前記判定した移動状況と合計ポイントとに基づいて、前記携帯端末における着信許可／拒否の設定、着信音が鳴るかならないかの設定、着信音量の設定、バイブレーション機能の設定のうち、いずれか一以上を行う、携帯端末である。
【００１７】
上述の平均電圧を用いた処理を行う際には、ポイントを用いて処理を行うように構成しても良い。このようにポイントを用いて処理を行うことによっても、着信音量の設定の際に、音量レベルを調整して設定することが出来る。
【００１８】
請求項５の発明において、前記移動状況判定部は、前記電圧検出回数と、前記電圧の大きさが基準値を超えた回数とを用いて前記携帯端末の所持者の移動状況を判定し、前記着信制御部は、前記判定した移動状況に基づいて、前記携帯端末における着信許可／拒否の設定、着信音が鳴るかならないかの設定、着信音量の設定、バイブレーション機能の設定のうち、いずれか一以上を行う、携帯端末である。
【００１９】
電圧の検出回数と電圧の大きさとを用いて判定処理を行う際に、平均電圧を用いるほかに、本発明のように電圧の大きさが基準値を超えた回数により判定処理を行うように構成することも出来る。
【００２０】
請求項６の発明において、前記移動状況判定部は、前記電圧検出回数と、前記電圧の大きさが基準値を超えた回数とを用いて前記携帯端末の所持者の移動状況を判定し、且つ、前記電圧検出回数に応じたポイントを判定し、前記電圧の大きさが基準値を超えた回数に応じたポイントを判定し、それらの各ポイントを演算することにより合計ポイントを算出し、前記移動状況と前記合計ポイントとを前記着信制御部に渡し、前記着信制御部は、前記判定した移動状況と合計ポイントとに基づいて、前記携帯端末における着信許可／拒否の設定、着信音が鳴るかならないかの設定、着信音量の設定、バイブレーション機能の設定のうち、いずれか一以上を行う、携帯端末である。
【００２１】
上述のように電圧の大きさが基準値を超えた回数を用いて判定処理を行う際には、ポイントを用いて処理を行うように構成しても良い。このようにポイントを用いて処理を行うことによっても、着信音量の設定の際に、音量レベルを調整して設定することが出来る。
【００２２】
請求項７の発明において、前記移動状況判定部は、前記所定時間における電圧の大きさが所定値未満になった時点と電圧の大きさとによって構成される、所定時間に対する任意の形状の面積を算出し、前記電圧検出回数と前記面積とを用いて前記携帯端末の所持者の移動状況を判定し、前記着信制御部は、前記判定した移動状況に基づいて、前記携帯端末における着信許可／拒否の設定、着信音が鳴るかならないかの設定、着信音量の設定、バイブレーション機能の設定のうち、いずれか一以上を行う、携帯端末である。
【００２３】
電圧の検出回数と電圧の大きさとを用いて判定処理を行う際に、平均電圧を用いるほかに、本発明のように、電圧の大きさによって形成される面積を算出することにより判定処理を行うように構成することも出来る。これは例えば縦方向（ｙ軸）に電圧の大きさ、横方向（ｘ軸）に時間をとったとすると、電圧の大きさによって構成される形状の面積が大きいと、移動している状況が激しい状態（例えば走行状態）と考えられることによる。
【００２４】
請求項８の発明において、前記移動状況判定部は、前記所定時間における電圧の大きさが所定値未満になった時点と電圧の大きさとによって構成される、所定時間に対する任意の形状の面積を算出し、前記電圧検出回数と前記面積とを用いて前記携帯端末の所持者の移動状況を判定し、且つ、前記電圧検出回数に応じたポイントを判定し、前記面積に応じたポイントを判定し、それらの各ポイントを演算することにより合計ポイントを算出し、前記着信制御部は、前記判定した移動状況と合計ポイントとに基づいて、前記携帯端末における着信許可／拒否の設定、着信音が鳴るかならないかの設定、着信音量の設定、バイブレーション機能の設定のうち、いずれか一以上を行う、携帯端末である。
【００２５】
上述のように面積を用いて判定処理を行う際には、ポイントを用いて処理を行うように構成しても良い。このようにポイントを用いて処理を行うことによっても、着信音量の設定の際に、音量レベルを調整して設定することが出来る。
【００２６】
請求項９の発明において、前記移動状況判定部は、前記所定時間における単位時間と電圧の大きさとによって構成される、所定時間に対する任意の形状の面積を算出し、前記電圧検出回数と前記面積とを用いて前記携帯端末の所持者の移動状況を判定し、前記着信制御部は、前記判定した移動状況に基づいて、前記携帯端末における着信許可／拒否の設定、着信音が鳴るかならないかの設定、着信音量の設定、バイブレーション機能の設定のうち、いずれか一以上を行う、携帯端末である。
【００２７】
上述と同様に面積を算出して移動状況の判定を行う場合には、本発明のように構成することも出来る。
【００２８】
請求項１０の発明において、前記移動状況判定部は、前記所定時間における単位時間と電圧の大きさとによって構成される、所定時間に対する任意の形状の面積を算出し、前記電圧検出回数と前記面積とを用いて前記携帯端末の所持者の移動状況を判定し、且つ、前記電圧検出回数に応じたポイントを判定し、前記面積に応じたポイントを判定し、それらの各ポイントを演算することにより合計ポイントを算出し、前記着信制御部は、前記判定した移動状況と合計ポイントとに基づいて、前記携帯端末における着信許可／拒否の設定、着信音が鳴るかならないかの設定、着信音量の設定、バイブレーション機能の設定のうち、いずれか一以上を行う、携帯端末である。
【００２９】
上述のように面積を用いて判定処理を行う際には、ポイントを用いて処理を行うように構成しても良い。このようにポイントを用いて処理を行うことによっても、着信音量の設定の際に、音量レベルを調整して設定することが出来る。
【００３０】
請求項１１の発明において、前記移動状況判定部は、前記記録部に記録した情報のうち、前記検出した電圧の大きさと、所定数前に検出した電圧の大きさとの差の絶対値の総和と、前記電圧検出回数とを用いて、前記携帯端末の所持者の移動状況を判定し、前記着信制御部は、前記判定した移動状況に基づいて、前記携帯端末における着信許可／拒否の設定、着信音が鳴るかならないかの設定、着信音量の設定、バイブレーション機能の設定のうち、いずれか一以上を行う、携帯端末である。
【００３１】
電圧の検出回数と電圧の大きさとを用いて判定処理を行う際に、平均電圧を用いるほかに、本発明のように、所定数前に検出した電圧の大きさとの差を算出し、その差の絶対値の総和を算出することにより、構成することも出来る。電圧の差の絶対値の総和が大きい場合、携帯端末の所持者は不規則な動きを行っていると思われる。例えば移動しながら話をしていたり、何かに集中していたりする場合には、突発的な行動が多くなる。その場合には不規則な動きとなるが、このように判定することで、移動状況を判定することが出来る。
【００３２】
請求項１２の発明において、前記移動状況判定部は、前記記録部に記録した情報のうち、前記検出した電圧の大きさと、所定数前に検出した電圧の大きさとの差の絶対値の総和と、前記電圧検出回数とを用いて、前記携帯端末の所持者の移動状況を判定し、且つ、前記電圧検出回数に応じたポイントを判定し、前記総和に応じたポイントを判定し、それらの各ポイントを演算することにより合計ポイントを算出し、前記着信制御部は、前記判定した移動状況と合計ポイントとに基づいて、前記携帯端末における着信許可／拒否の設定、着信音が鳴るかならないかの設定、着信音量の設定、バイブレーション機能の設定のうち、いずれか一以上を行う、携帯端末である。
【００３３】
上述のように、所定数前に検出した電圧の大きさとの差の絶対値の総和を用いて判定処理を行う際には、ポイントを用いて処理を行うように構成しても良い。このようにポイントを用いて処理を行うことによっても、着信音量の設定の際に、音量レベルを調整して設定することが出来る。
【００３４】
請求項１３の発明において、前記移動状況判定部は、前記判定した移動状況が「停止状態」を示す情報である場合には、その状態が予め定められた回数だけ連続して同じ状態である場合に、前記判定した移動状況を前記着信制御部に渡す、携帯端末である。
【００３５】
電圧の検出回数と電圧の大きさとを用いた移動状況の判定は上述のように行うことが出来るが、一度の判定のみで移動状況が変化した、と判定してしまうと、例えば手が携帯端末にぶつかった場合や、携帯端末を入れた鞄を置く位置を移動させた、などでも移動状況が変化してしまう場合がある。そこで、経時的に移動状況の変化を記録しておき、移動状況が所定回数だけ連続して同じ場合になって初めて、移動状況に変化があったことを着信制御部に渡すように構成することで、不用意な着信許可／拒否の設定変更、着信音や着信音量の設定変更などを防止することが出来る。
【発明の効果】
【００３６】
本発明によって、携帯端末の所持者が静止していると判定される場合に、着信拒否の設定に変更し、または着信音やバイブレーション機能を行わない設定へと自動的に変更し、携帯端末の所持者が移動していると判定される場合に、着信許可の設定に変更し、または着信音やバイブレーション機能を行う設定へと自動的に変更する携帯端末が可能となる。これによって、携帯端末の所持者は、着信音量やバイブレーション機能をオフにする設定を失念する懸念が減ることとなる。また振動の回数と平均振幅、振幅により算出される値などをポイント化して処理することによって、着信音量やバイブレーション機能などのレベルを考慮した設定をすることが出来る。これによって、所持者の移動状況に応じた着信許可／拒否の設定、着信音やバイブレーション機能などの設定を的確に行うことが出来る。
【発明を実施するための最良の形態】
【００３７】
本発明の携帯端末１のシステム構成の一例を図１に示す。本発明の携帯端末１は、携帯端末１の所持者の振動を検出する加速度センサー２を備えている。携帯端末１に備える加速度センサー２としては、圧電式、半導体ピエゾ抵抗式、静電容量式など様々な方式があり、各種の加速度センサー２を用いることが出来る。これらの加速度センサー２では、振動を検出することによって電圧が発生し、その電圧の大きさを測定することで、携帯端末１に発生している振動の大きさを判定することが出来る。なお本明細書においては加速度センサー２で、所定値以上の大きさの電圧を検出した回数と、電圧の大きさとを用いることによって処理を行う場合を説明するが、それに限定されず、加速度センサー２が出力する様々な出力値を用いることによって、処理を行うことも出来る。
【００３８】
加速度センサー２が出力する出力値を用いて処理行うには、例えば、単位時間において所定値以上の大きさの電圧を検出した回数と、その電圧の大きさの合計値または平均値を用いたり、所定値以上の大きさの電圧を検出した時刻とその電圧の大きさを用いたりすることが出来る。加速度センサー２で検出した電圧の検出回数、電圧の大きさ、電圧を検出した時刻などの情報は、所定の記録部３に記録される。記録部３に記録した情報は、所定時間経過後、削除されることが好ましい。図３に記録部３に記録した情報の一例を示す。図３（ａ）は所定値以上の大きさの電圧を検出した時刻とその電圧の大きさを記録した場合を模式的に示しており、図３（ｂ）は単位時間において、所定値以上の大きさの電圧を検出した回数と、その電圧の大きさの合計値を記録した場合を模式的に示している。また図４は図３（ｂ）における記録の状態を模式的に示している。
【００３９】
以下の説明においては、図３（ａ）の方法で振動を記録した場合を示すが（つまり所定値以上の大きさの電圧を検出した時刻と電圧の大きさを記録した場合を示す）、図３（ｂ）の方法で振動を記録した場合（つまり単位時間において、所定値以上の電圧を検出した回数と、その電圧の大きさの合計値または平均値を記録した場合）であっても同様に実施は可能である。
【００４０】
なお本明細書では加速度センサー２を備えた携帯端末１を説明するが、加速度センサー２を他の機能の一部として携帯端末１に備えていても良い。例えば歩数計機能を備えた携帯端末１における歩数計機能を実現する加速度センサー２を本発明に用いても良い。
【００４１】
移動状況判定部４は、加速度センサー２で検出した、所定値以上の大きさの電圧の検出時刻と電圧の大きさとに基づいて、所定時間における電圧の検出回数を算出し、電圧の検出回数と電圧の大きさとを用いて、携帯端末１の着信制御に対応するポイントを算出する。例えば、所定のタイミングから所定時間前（例えば１０秒間）までの電圧を検出した時刻と電圧の大きさを記録部３から抽出することで、所定時間における電圧の検出回数と電圧の平均値を算出することにより、ポイントを算出する。電圧検出回数と平均電圧に対して与えられるポイントの概念図を図５（ａ）に、移動状況判定部４の判定処理の概念を模式化した図を図５（ｂ）に示す。
【００４２】
図５では、電圧検出回数と平均電圧とを各々ポイント化し、それらを加算することによって、着信許可／拒否設定、着信音量の設定を行っている。この場合、電圧検出回数を４段階に分け、所定のタイミング時点から１０秒以前の振動の回数が「０〜９」の時には「０ポイント」、「１０〜１９」の時には「１ポイント」、「２０〜２９」の時には「２ポイント」、「３０以上」の時には「３ポイント」とする（図５（ａ）左図）。
【００４３】
また、所定のタイング時点から１０秒以前の電圧の平均値を２段階に分け、平均電圧が所定の基準値未満であればを「０ポイント」、平均電圧が所定の基準値以上であれば「１ポイント」とする（図５（ａ）右図）。
【００４４】
そして電圧検出回数と平均電圧とを用いて、移動状況判定部４は、携帯端末１の所持者の移動状況を判定し（「停止状態」であるか「移動状態」であるかを判定し）、また電圧検出回数で選択されたポイントと、平均電圧で選択されたポイントとを合計することにより、合計ポイントを算出する。そして判定した移動状況と合計ポイントとを着信制御部５に渡す。なお電圧検出回数が予め定められた回数未満である場合（図５の場合、１０回未満である場合）には、合計ポイントを算出せず、電圧検出回数と平均電圧とを用いて移動状況の判定を行うのみであっても良い。
【００４５】
例えば電圧検出回数が「１８」で平均電圧が「規定値未満」の場合、電圧検出回数として「１ポイント」、平均電圧として「０ポイント」が選択されるので、合計ポイントは「１ポイント」となる。移動状況設定部は「１ポイント」と、移動状況として「移動状態」の情報を着信制御部５に渡す。
【００４６】
電圧検出回数が「１７」で平均電圧が「規定値以上」の場合、電圧検出回数として「１ポイント」、平均電圧として「１ポイント」が選択されるので、合計ポイントは「２ポイント」となる。移動状況設定部は「２ポイント」と、移動状況として「移動状態」の情報を着信制御部５に渡す。
【００４７】
また電圧検出回数が「２５」で平均電圧が「規定値未満」の場合、電圧検出回数として「２ポイント」、平均電圧として「０ポイント」が選択されるので、合計ポイントは「２ポイント」となる。移動状況設定部は「２ポイント」と、移動状況として「移動状態」の情報を着信制御部５に渡す。
【００４８】
また電圧検出回数が「２４」で平均電圧が「規定値以上」の場合、電圧検出回数として「２ポイント」、平均電圧として「１ポイント」が選択されるので、合計ポイントは「３ポイント」となる。移動状況設定部は「３ポイント」と、移動状況として「移動状態」の情報を着信制御部５に渡す。
【００４９】
更に電圧検出回数が「３８」で平均電圧が「規定値未満」の場合、電圧検出回数として「３ポイント」、平均電圧として「０ポイント」が選択されるので、合計ポイントは「３ポイント」となる。移動状況設定部は「３ポイント」と、移動状況として「移動状態」の情報を着信制御部５に渡す。
【００５０】
更に電圧検出回数が「３７」で平均電圧が「規定値以上」の場合、電圧検出回数として「３ポイント」、平均電圧として「１ポイント」が選択されるので、合計ポイントは「４ポイント」となる。移動状況設定部は「４ポイント」と、移動状況として「移動状態」の情報を着信制御部５に渡す。
【００５１】
なお電圧検出回数が「６」で平均電圧が「規定値未満」の場合、合計ポイントの算出を行わずに、移動状況として「停止状態」の情報を着信制御部５に渡す。この際に、図５（ｂ）に示すように、移動状況判定部４において判定した「停止状態」が、例えば連続して５回以上、「停止状態」と判定できた場合に限って、移動状況として「停止状態」の情報を着信制御部５に渡すように構成しても良い。つまり「電圧検出回数が０〜９回」で、「平均電圧が規定値未満」の状態により「停止状態」と判定された場合であっても、それが４回目までの判定であれば、「停止状態」の情報は着信制御部５に渡されないように構成しても良い。
【００５２】
また電圧検出回数が「５」で平均電圧が「規定値以上」の場合、合計ポイントの算出を行わずに、移動状況として「停止状態」の情報を着信制御部５に渡す。この際に、図５（ｂ）に示すように、移動状況判定部４において判定した「停止状態」が、例えば連続して１０回以上、「停止状態」と判定できた場合に限って、移動状況として「停止状態」の情報を着信制御部５に渡すように構成しても良い。つまり「電圧検出回数が０〜９回」で、「平均電圧が規定値以上」の状態により「停止状態」と判定された場合であっても、それが９回目までの判定であれば、「停止状態」の情報は着信制御部５に渡されないように構成しても良い。
【００５３】
なお連続して状態を判定する連続状態判定回数は任意に設定可能であり、同じ値としても良い。
【００５４】
着信制御部５は、移動状況判定部４で判定した所持者の移動状況の情報（「停止状態」、「移動状態」の情報）、合計ポイントに基づいて、着信許可／拒否の設定、着信音量、バイブレーション機能の設定を行い、その設定を記憶させる。なお着信許可／拒否の設定を行わずに、着信音量を「音量０」に設定するように構成しても良い。着信音量の設定としては、携帯端末１毎に異なる音量設定が設けられており、それに応じた設定で行うと良い。なお本明細書では携帯端末１の音量設定は、音量０（着信音ＯＦＦの状態）、音量１、音量２、音量３、音量４の５段階の場合を説明するが、携帯端末１に応じて適宜変更することが出来る。例えば移動状況設定部から受け取った合計ポイントが「０ポイント」の時には「音量０」として設定し、「１ポイント」の時には「音量１」、「２ポイント」の時には「音量２」、「３ポイント」の時には「音量３」、「４ポイント以上」の時には「音量４」を設定する。これを模式的に示すのが図６である。
【００５５】
なお本発明の携帯端末１では図示をしないが、通話をする機能、電子メールの送受信をする機能、インターネットを利用する機能など、通常の携帯端末１が備える機能を備えている。また電話の着信、電子メールの受信などを検出することによって、携帯端末１は、所定の記憶領域に記憶した、着信制御部５で設定した音量に基づいて、その音量で所持者に通知を行う（着信音を鳴らすなど）。
【実施例１】
【００５６】
次に本発明の携帯端末１の実施態様を図２のフローチャートを用いて説明する。
【００５７】
携帯端末１には加速度センサー２が備えられているので、携帯端末１の所持者が移動することによって（振動が発生することによって）、加速度センサー２がその振動を検出する（Ｓ１００）。この振動があったことは、加速度センサー２において電圧が発生することによって検出できる。そして所定値以上の大きさの電圧を検出した時刻、電圧の大きさが図３（ａ）に示すように、記録部３に記録される。なお上述したが、記録部３では図３（ａ）のように記録したり、単位時間毎に（例えば１秒ごとに）、所定値以上の大きさの電圧を検出した回数と、電圧の合計値とを記録するようにしても良い（図３（ｂ））。
【００５８】
このようにして振動を検出する度に電圧を検出した時刻、電圧の大きさの情報を記録部３に記録するが、移動状況設定部は、所定のタイミング（例えば携帯端末１において電話の着信または電子メールの受信を検出する、所定の時間毎に、振動を検出する毎に）、その時点から所定時間前までの電圧の検出回数と、検出した電圧の大きさとを記録部３から抽出する（Ｓ１１０）。所定時間が１０秒であり、移動状況判定部４において移動状況を判定する時点が「１０時３１分１９秒９２」なので「１０時３１分０９秒９２」から「１０時３１分１９秒９２」までの電圧検出回数と、その電圧の大きさとを抽出する。
【００５９】
電圧の検出回数については、記録されている時刻数など記録されている情報をカウントすれば判定できる。図３（ａ）の場合には電圧検出回数は「１９」と判定できる。また電圧の大きさの平均値を算出すると、「０．３７４ボルト」となる。従って電圧検出回数について「１ポイント」が選択され、また「０．３７４ボルト」が「規定値未満」であったとすると、平均電圧について「０ポイント」が選択される。また移動状況判定部４は、移動状況の情報として「移動状態」であることを判定する（Ｓ１２０）。
【００６０】
移動状況判定部４は、電圧検出回数により選択されたポイントと、平均電圧により選択されたポイントとを加算して合計ポイントを算出する。上述の場合、移動状況判定部４は、合計ポイントとして「１ポイント」を算出して、その「１ポイント」と「移動状態」の情報とを着信制御部５に渡す。
【００６１】
着信制御部５は、合計ポイントとして「１ポイント」と「移動状態」の情報とを移動状況判定部４から受け取り、着信許可／拒否の設定を変更するか判定する（Ｓ１３０）。もし着信拒否の設定になっている場合には、着信許可の設定に変更する（もともと着信許可の設定になっている場合には変更しなくても良い）（Ｓ１４０）。また携帯端末１における現在の音量設定と対比させる。この場合、合計ポイント「１ポイント」は「音量１」と対応しているので、既に携帯端末１の音量設定が「音量１」であるかを判定し（Ｓ１３０）、「音量１」として設定されていない場合には、携帯端末１の着信音量を「音量１」に設定を変更する（Ｓ１４０）。一方、既に「音量１」として設定されている場合には着信音量を変更する必要はない。
【００６２】
なおＳ１１０において、例えば電圧の検出回数が「５」の場合であって、平均電圧が規定値未満の場合には、移動状況判定部４は、合計ポイントの算出をせずに（合計ポイントを算出することは妨げない）、移動状況の判定を行う（Ｓ１２０）。そうすると図５（ｂ）などの対応関係から、移動状況として「停止状態」であることが判定できる。そして「停止状態」であることと平均電圧が「規定値未満」であることの状態を所定の記憶装置に記憶させると共に、その状態が連続して５回続いているかを当該記憶装置を参照することで判定する。もし連続して５回続いていない場合、つまり４回以下の場合にはそのまま次の判定が行われるのを待機する。そして連続して５回続いていると判定した場合には、移動状況判定部４は、着信制御部５に対して「停止状態」の情報を渡す。この情報を受け取った着信制御部５は、着信許可／拒否の設定を変更するか判定する（Ｓ１３０）。もし着信許可の設定になっている場合には、着信拒否の設定に変更する（もともと着信拒否の設定になっている場合には変更しなくても良い）（Ｓ１４０）。
【００６３】
またＳ１１０において、例えば電圧の検出回数が「８」の場合であって、平均電圧が規定値以上の場合には、移動状況判定部４は、合計ポイントの算出をせずに（合計ポイントを算出することは妨げない）、移動状況の判定を行う（Ｓ１２０）。そうすると図５（ｂ）などの対応関係から、移動状況として「停止状態」であることが判定できる。そして「停止状態」であることと平均電圧が「規定値以上」であることの状態を所定の記憶装置に記憶させると共に、その状態が連続して１０回続いているかを当該記憶装置を参照することで判定する。もし連続して１０回続いていない場合、つまり９回以下の場合にはそのまま次の判定が行われるのを待機する。そして連続して１０回続いていると判定した場合には、移動状況判定部４は、着信制御部５に対して「停止状態」の情報を渡す。この情報を受け取った着信制御部５は、着信許可／拒否の設定を変更するか判定する（Ｓ１３０）。もし着信許可の設定になっている場合には、着信拒否の設定に変更する（もともと着信拒否の設定になっている場合には変更しなくても良い）（Ｓ１４０）。
【００６４】
更に、Ｓ１１０において、例えば電圧の検出回数が「２５」の場合であって、平均電圧が「規定値以上」であったとする。そうすると移動状況の判定としては「移動状態」と判定できる（Ｓ１２０）。また電圧の検出回数によるポイントとして「２ポイント」が与えられる。また平均電圧によるポイントとして「１ポイント」が与えられる。従って合計ポイントは「３ポイント」となり、移動状況判定部４は「３ポイント」と「移動状態」の情報を着信制御部５に渡す。
【００６５】
これを受け取った着信制御部５は、着信許可／拒否の設定を変更するか判定する（Ｓ１３０）。もし着信拒否の設定になっている場合には、着信許可の設定に変更する（もともと着信許可の設定になっている場合には変更しなくても良い）（Ｓ１４０）。また携帯端末１における現在の音量設定と対比させる。この場合、合計ポイント「３ポイント」は「音量３」と対応しているので、既に携帯端末１の音量設定が「音量３」であるかを判定し（Ｓ１３０）、「音量３」として設定されていない場合には、携帯端末１の着信音量を「音量３」に設定を変更する（Ｓ１４０）。一方、既に「音量３」として設定されている場合には着信音量を変更する必要はない。
【００６６】
以上のように振動が検出されることによって、所定のタイミング時点より所定時間前の電圧の検出回数と平均電圧とに基づいて、着信許可／拒否の設定、着信音量を変更する設定を行うことが出来る。つまり映画館や電車内などでは、携帯端末１の所持者は移動をしないことが多く、停止状態であることから、振動を検出しない。その為、自動的に着信拒否とする、または着信音量を「音量０」に設定することが出来る。一方、携帯端末１の所持者が歩いていたり、走っている場合には振動を検出するので、着信許可に設定して、音が鳴るように設定することが出来る。また電圧の検出回数と平均電圧とを各々ポイント化して処理することで、単に音が鳴るように設定させるだけではなく、音量のレベルを変更することも出来る。
【００６７】
なお本明細書では着信音量の設定を対象としたが、バイブレーション機能を対象としても良い。即ち、音量「０」の設定の場合にはバイブレーション機能を「ＯＦＦ」にし、音量「１」以上の場合にはバイブレーション機能を「ＯＮ」にするように構成することも出来る。本実施例では移動状況判定部４で電圧の大きさを用いた処理を行う際に、平均電圧を算出したが、平均以外にも偏差や分散を用いても良い。また平均には相加平均の他、相乗平均、調和平均、加重平均などの他の平均も含まれる。
【実施例２】
【００６８】
携帯端末１の移動状況判定部４の処理において、上述の実施例では記録部３に記録した電圧の検出時刻と電圧の大きさとを抽出し、電圧の検出回数と平均電圧とを用いて処理を行ったが、それ以外の方法によっても、携帯端末１の所持者の移動状況を判定することも出来る。
【００６９】
まず他の処理方法の第１の方法としては、移動状況判定部４が、所定のタイミング（例えば携帯端末１において電話の着信または電子メールの受信を検出する、所定の時間毎に、振動を検出する毎に）で、その時点から所定時間前（例えば１０秒間）の電圧の検出時刻と電圧の大きさを記録部３から抽出し、電圧の検出回数と電圧の大きさが所定の基準値を超えた回数とに基づいて判定を行う。本実施例の場合の判定の概念図を図７に模式的に示す。
【００７０】
例えば判定の基準が図７のような場合を説明する。移動状況判定部４は、記録部３から１０秒間の電圧の検出時刻と電圧の大きさを抽出する。そしてその１０秒間の振動において、電圧の検出回数と、電圧の大きさが基準値（これは予め定められている）以上（または基準値を超えた）となった回数をカウントする。そして電圧の検出回数と、電圧の大きさが基準値以上となった回数とを用いて、携帯端末１の所持者の移動状況（「移動状態」、「停止状態」）を判定する（Ｓ１２０）。そして判定した移動状況の情報と、電圧の検出回数と電圧の大きさが基準値以上となった回数とを着信制御部５に渡す。
【００７１】
着信制御部５は、移動状況判定部４から受け取った情報に基づいて、着信許可／拒否の設定、着信音量の変更を行うかを判定する（Ｓ１３０）。即ち、現在の携帯端末１が着信許可の設定の場合に「停止状態」の情報を受け取った場合には着信拒否の設定に変更する（Ｓ１４０）。また現在の携帯端末１が着信拒否の設定の場合に「移動状態」の情報を受け取った場合には着信許可の設定に変更する（Ｓ１４０）。
【００７２】
また着信許可の設定の場合では、更に、電圧の検出回数と、電圧の大きさが基準値以上となった回数とを用いて、図７に示す対応関係などから、着信音量を判定する。そして現在の携帯端末１の着信音量と、判定した着信音量とが異なる場合、例えば現在の携帯端末１の着信音量が「音量１」であり、判定した着信音量が「音量３」の場合には、判定した着信音量である「音量３」に設定変更をする（Ｓ１４０）。なお現在の携帯端末１の着信音量と、判定した着信音量とが同じ場合には音量の設定変更を行う必要はない。
【００７３】
上述の処理について、図８に示すようにポイントを用いて処理を行っても良い。図８（ａ）は電圧検出回数とポイント、図８（ｂ）は電圧の大きさが基準値を超えた回数とポイントを模式的に示すものである。なお合計ポイントと着信音量は、図６に示すものと同様のものを用いた場合を説明する。
【００７４】
移動状況判定部４が、所定のタイミング（例えば携帯端末１において電話の着信または電子メールの受信を検出する、所定の時間毎に、振動を検出する毎に）で、その時点から所定時間前（例えば１０秒間）の電圧の検出時刻と電圧の大きさを記録部３から抽出し、電圧の検出回数と電圧の大きさが所定の基準値を超えた回数とに基づいて判定を行う。
【００７５】
例えば判定の基準が図７のような場合、移動状況判定部４は、記録部３から１０秒間の電圧の検出時刻と電圧の大きさを抽出する。そしてその１０秒間の振動において、電圧の検出回数と、電圧の大きさが基準値（これは予め定められている）以上（または基準値を超えた）となった回数をカウントする。そして電圧の検出回数と、電圧の大きさが基準値以上となった回数とを用いて、携帯端末１の所持者の移動状況（「移動状態」、「停止状態」）を判定する（Ｓ１２０）。また電圧の検出回数によるポイントと、電圧の大きさが基準値以上となった回数によるポイントを判定し、それらの合計である合計ポイントを算出する。そして判定した移動状況の情報と、合計ポイントの情報を着信制御部５に渡す。
【００７６】
着信制御部５は、移動状況判定部４から受け取った情報に基づいて、着信許可／拒否の設定、着信音量の変更を行うかを判定する（Ｓ１３０）。即ち、現在の携帯端末１が着信許可の設定の場合に「停止状態」の情報を受け取った場合には着信拒否の設定に変更する（Ｓ１４０）。また現在の携帯端末１が着信拒否の設定の場合に「移動状態」の情報を受け取った場合には着信許可の設定に変更する（Ｓ１４０）。
【００７７】
また着信許可の設定の場合では、更に、合計ポイントの情報に基づいて着信音量を判定する。そして現在の携帯端末１の着信音量と、判定した着信音量とが異なる場合、例えば現在の携帯端末１の着信音量が「音量１」であり、判定した着信音量が「音量３」の場合には、判定した着信音量である「音量３」に設定変更をする（Ｓ１４０）。なお現在の携帯端末１の着信音量と、判定した着信音量とが同じ場合には音量の設定変更を行う必要はない。
【実施例３】
【００７８】
移動状況判定部４における他の処理の第２の方法は、電圧の大きさと時間との関係に基づいて判定の処理を行うものである。つまり、所定時間において、電圧の大きさが所定値未満になった時点（電圧の大きさが所定値未満とは、加速度センサー３で検出した電圧のうち、記録部３に記録する閾値である所定値を指す。つまり加速度センサー３で検出した電圧のうち、記録部３に記録されない電圧の大きさになった時点となる）をｘ軸に用いて、その時点の間隔と振幅とによって構成される任意の形状（三角形以上の多角形を含む）の面積を算出することによって、移動状況を判定する方法である。図９にその概念図を模式的に示し、図１０にその判定の模式図を示す。
【００７９】
移動状況判定部４が、所定のタイミング（例えば携帯端末１において電話の着信または電子メールの受信を検出する、所定の時間毎に、振動を検出する毎に）で、その時点から所定時間前（例えば１０秒間）の電圧の検出時刻と電圧の大きさを記録部３から抽出する。この際に、電圧の大きさが所定値未満となった時点を判定する。図９では電圧の大きさが所定値未満になった時点はｔ１からｔ８である。なお電圧の大きさが所定値未満になった時点は、常に電圧の大きさを記録部３に記録している場合には、電圧の大きさが所定値未満になった時刻を用いることが出来るし、電圧を検出した場合にその電圧の大きさを記録部３に記録しているだけの場合には、電圧を検出した時点の前後の所定微小時間を、電圧の大きさが所定値未満の時点として用いても良い。
【００８０】
そして所定時間内で検出した電圧の大きさを面積として移動状況判定部４は算出する。例えば図９の場合、ｔ１からｔ８が電圧の大きさは所定値未満の時点なので、それらの間隔とその間の電圧の大きさとによって構成される形状の面積を算出する。この面積は図９では三角形の面積を算出している。また電圧の大きさが所定値未満の間は、各々１回ずつの振動が発生している場合である。従って、
（数１）
面積Ｓｉ＝間隔（ｔｉ−ｔｉ−１）×電圧の大きさｈｉ÷２
によって一つの間隔あたりの面積Ｓｉを算出し、それらを所定時間分、合計することによって、電圧の大きさのを評価し、携帯端末１の所持者の移動状況を判定することが出来る。
【００８１】
図９では三角形の面積を算出するようにしているが、その他にも長方形、任意の多角形としてもよい。これは電圧の大きさが所定値未満にならないで、連続的に電圧を検出している場合にはこのような形状となることが多い。このように、所定時間分の、電圧の大きさが所定値未満になった時点の間隔と電圧の大きさとによって構成される任意の形状（三角形以上の多角形を含む）の面積を算出することによって、移動状況を判定することも出来る。
【００８２】
なお、所定時間において、電圧の大きさが所定値未満になる間に複数の電圧の検出がある場合には、図１１に示すように、面積を求める対象となる形状が多角形になる場合もある。この場合には、電圧の大きさが所定値未満になった時点をｘ軸に用いて、その時点の間隔と電圧の大きさとによって構成される任意の形状の面積を算出する場合であっても良い。図１１にその概念図を模式的に示す。図１１に示す場合では、ｔ０、ｔ１、ｔ２、ｔ３、ｔ４、ｔ５の時点が電圧の大きさが０になった時点を示しており、（ｔ０，ｈ１，ｔ１）により構成される形状、（ｔ１，ｈ３，ｈ４，ｈ５，ｈ６，ｈ７，ｔ２）により構成される形状、（ｔ２，ｈ９，ｈ１０，ｈ１１，ｈ１２，ｈ１３，ｈ１４，ｈ１５，ｈ１６，ｈ１７，ｔ３）により構成される形状、（ｔ３，ｈ１９，ｈ２０，ｈ２１，ｔ４）により構成される形状、（ｔ４，ｈ２３，ｔ５）により構成される形状の面積を求めても良い。
【００８３】
例えば移動状況判定部４は、記録部３から１０秒間の電圧の検出時刻とそれらの電圧の大きさとを抽出する。そして所定時間における電圧の検出回数を判定する。電圧の検出回数と、電圧の大きさについて算出した面積(数１で算出した面積）とを用いて、携帯端末１の所持者の移動状況（「移動状態」、「停止状態」）を判定する（Ｓ１２０）。そして判定した移動状況の情報と、電圧の検出回数と面積とを着信制御部５に渡す。
【００８４】
着信制御部５は、移動状況判定部４から受け取った情報に基づいて、着信許可／拒否の設定、着信音量の変更を行うかを判定する（Ｓ１３０）。即ち、現在の携帯端末１が着信許可の設定の場合に「停止状態」の情報を受け取った場合には着信拒否の設定に変更する（Ｓ１４０）。また現在の携帯端末１が着信拒否の設定の場合に「移動状態」の情報を受け取った場合には着信許可の設定に変更する（Ｓ１４０）。
【００８５】
また着信許可の設定の場合では、更に、電圧の検出回数と、面積とを用いて、図１０に示す対応関係などから、着信音量を判定する。そして現在の携帯端末１の着信音量と、判定した着信音量とが異なる場合、例えば現在の携帯端末１の着信音量が「音量１」であり、判定した着信音量が「音量３」の場合には、判定した着信音量である「音量３」に設定変更をする（Ｓ１４０）。なお現在の携帯端末１の着信音量と、判定した着信音量とが同じ場合には音量の設定変更を行う必要はない。
【００８６】
上述の面積を用いて移動状況を判定する処理について、図１２に示すようにポイントを用いて処理を行っても良い。
【００８７】
図１２（ａ）は電圧の検出回数とポイント、図１２（ｂ）は面積とポイントを模式的に示すものである。
【００８８】
例えば移動状況判定部４は、記録部３から１０秒間の電圧の検出時刻とそれらの電圧の大きさとを抽出する。そして所定時間における電圧の検出回数を判定する。電圧の検出回数と、電圧の大きさについて算出した面積(数１で算出した面積）とを用いて、携帯端末１の所持者の移動状況（「移動状態」、「停止状態」）を判定する（Ｓ１２０）。また電圧の検出回数によるポイントと、電圧の大きさによる面積が基準値以上か否かによるポイントを判定し、それらの合計である合計ポイントを算出する。そして判定した移動状況の情報と、合計ポイントの情報を着信制御部５に渡す。
【００８９】
着信制御部５は、移動状況判定部４から受け取った情報に基づいて、着信許可／拒否の設定、着信音量の変更を行うかを判定する（Ｓ１３０）。即ち、現在の携帯端末１が着信許可の設定の場合に「停止状態」の情報を受け取った場合には着信拒否の設定に変更する（Ｓ１４０）。また現在の携帯端末１が着信拒否の設定の場合に「移動状態」の情報を受け取った場合には着信許可の設定に変更する（Ｓ１４０）。
【００９０】
また着信許可の設定の場合では、更に、合計ポイントの情報に基づいて着信音量を判定する。そして現在の携帯端末１の着信音量と、判定した着信音量とが異なる場合、例えば現在の携帯端末１の着信音量が「音量１」であり、判定した着信音量が「音量３」の場合には、判定した着信音量である「音量３」に設定変更をする（Ｓ１４０）。なお現在の携帯端末１の着信音量と、判定した着信音量とが同じ場合には音量の設定変更を行う必要はない。
【００９１】
上述では電圧の大きさが所定値未満になった時点の間隔と、電圧の大きさとによって構成される形状の面積を算出したが、所定時間分の、単位時間と振幅とによって構成される任意の形状（三角形以上の多角形を含む）の面積を算出することによって、移動状況を判定するように構成しても良い。図１３にその場合の概念図を模式的に示す。
【００９２】
この場合、移動状況判定部４が、例えば所定のタイミング（例えば携帯端末１において電話の着信または電子メールの受信を検出する、所定の時間毎に、振動を検出する毎に）で、その時点から所定時間前（例えば１０秒間）の電圧の検出時刻と電圧の大きさを記録部３から抽出する。この際に、所定時間は、所定の単位時間（例えば０．１秒ごと、０．５秒ごと、１秒ごと、あるいは微小時間などの任意の時間。なお所定時間＝単位時間としても良い）に分けられる。そしてその単位時間内に検出した電圧における大きさを面積として移動状況判定部４は算出する。例えば図１３の場合、所定時間は、ｐ１からｐ８の単位時間に分割され、その各単位時間において各々１回ずつの振動が発生している。
【００９３】
そのため、各単位時間あたりの面積を算出する。この面積は図１３では三角形の面積を算出している。従って、
（数２）
面積Ｓｉ＝単位時間ｐｉ×電圧の大きさｈｉ÷２
によって単位時間ｐｉあたりの面積Ｓｉを算出し、それらを所定時間分、合計することによって、携帯端末１の所持者の移動状況を判定することが出来る。またこの面積とポイントとを対応させて処理を行うことが出来るのも上述と同様である。
【００９４】
図１３では三角形の面積を算出するようにしているが、その他にも長方形や任意の多角形であっても良い。特に単位時間を１秒のように長い時間として設定していると、その単位時間内に複数の電圧の検出が発生しうる。そうするとこの面積は多角形となるので、当該単位時間に於ける面積は多角形となる。このように、所定時間分の、単位時間と電圧の大きさとによって構成される、任意の形状（三角形以上の多角形を含む）の面積を算出することによって、移動状況を判定することも出来る。
【実施例４】
【００９５】
移動状況判定部４における他の処理の第３の方法は、所定時間内の電圧の検出における電圧の大きさにおいて、前回の電圧の大きさとの差（一つ前の電圧の大きさのみならず、任意に設定可能である）の絶対値を算出し、それらの値の合計を算出することで、移動状況を判定する方法である。これは、加速度センサー２で検出する電圧の大きさは加速度の大きさと比例していることから、電圧の大きさの差の総和が大きいほど、不規則な動きが大きいと考えられる。不規則な動きをしているときは、移動しながら話していたり、何かに集中していたりしていると思われ、大きな音量レベルやバイブレーション機能のレベル、着信音を鳴らすか鳴らさないかの設定の方が、気づきやすいと考えられる。図１４にその概念図を模式的に示し、図１５にその判定を模式的に示す。
【００９６】
例えば判定の基準が図１５のような場合を説明する。移動状況判定部４は、記録部３から１０秒間の電圧の検出時刻と電圧の大きさを抽出する。そしてその１０秒間の振動において、電圧の検出回数と、所定数前の電圧の大きさの差の絶対値を算出し、その総和を算出する。そして電圧の検出回数と、電圧の大きさの絶対値の総和とを用いて、携帯端末１の所持者の移動状況（「移動状態」、「停止状態」）を判定する（Ｓ１２０）。そして判定した移動状況の情報と、電圧の検出回数と電圧の大きさの絶対値の総和とを着信制御部５に渡す。
【００９７】
着信制御部５は、移動状況判定部４から受け取った情報に基づいて、着信許可／拒否の設定、着信音量の変更を行うかを判定する（Ｓ１３０）。即ち、現在の携帯端末１が着信許可の設定の場合に「停止状態」の情報を受け取った場合には着信拒否の設定に変更する（Ｓ１４０）。また現在の携帯端末１が着信拒否の設定の場合に「移動状態」の情報を受け取った場合には着信許可の設定に変更する（Ｓ１４０）。
【００９８】
また着信許可の設定の場合では、更に、電圧の検出回数と、電圧の大きさの差の絶対値の総和とを用いて、図１５に示す対応関係などから、着信音量を判定する。そして現在の携帯端末１の着信音量と、判定した着信音量とが異なる場合、例えば現在の携帯端末１の着信音量が「音量１」であり、判定した着信音量が「音量３」の場合には、判定した着信音量である「音量３」に設定変更をする（Ｓ１４０）。なお現在の携帯端末１の着信音量と、判定した着信音量とが同じ場合には音量の設定変更を行う必要はない。
【００９９】
上述の処理について、図１６に示すようにポイントを用いて処理を行っても良い。
【０１００】
図１６（ａ）は電圧の検出回数とポイント、図１６（ｂ）は電圧の大きさの差の絶対値の総和とポイントとを模式的に示すものである。
【０１０１】
移動状況判定部４が、所定のタイミング（例えば携帯端末１において電話の着信または電子メールの受信を検出する、所定の時間毎に、振動を検出する毎に）で、その時点から所定時間前（例えば１０秒間）の電圧の検出時刻と電圧の大きさを記録部３から抽出し、電圧の検出回数と所定数前の電圧の大きさの差の絶対値の総和とに基づいて判定を行う。
【０１０２】
例えば判定の基準が図１５のような場合、移動状況判定部４は、記録部３から１０秒間の電圧の検出時刻と電圧の大きさを抽出する。そしてその１０秒間の振動において、電圧の検出回数と、所定数前の電圧の大きさの差の絶対値を算出し、その総和を算出する。そして電圧の検出回数と、電圧の大きさの絶対値の総和とを用いて、携帯端末１の所持者の移動状況（「移動状態」、「停止状態」）を判定する（Ｓ１２０）。また電圧の検出回数によるポイントと、電圧の大きさの差の絶対値の総和によるポイントを判定し、それらの合計である合計ポイントを算出する。そして判定した移動状況の情報と、合計ポイントの情報を着信制御部５に渡す。
【０１０３】
着信制御部５は、移動状況判定部４から受け取った情報に基づいて、着信許可／拒否の設定、着信音量の変更を行うかを判定する（Ｓ１３０）。即ち、現在の携帯端末１が着信許可の設定の場合に「停止状態」の情報を受け取った場合には着信拒否の設定に変更する（Ｓ１４０）。また現在の携帯端末１が着信拒否の設定の場合に「移動状態」の情報を受け取った場合には着信許可の設定に変更する（Ｓ１４０）。
【０１０４】
また着信許可の設定の場合では、更に、合計ポイントの情報に基づいて着信音量を判定する。そして現在の携帯端末１の着信音量と、判定した着信音量とが異なる場合、例えば現在の携帯端末１の着信音量が「音量１」であり、判定した着信音量が「音量３」の場合には、判定した着信音量である「音量３」に設定変更をする（Ｓ１４０）。なお現在の携帯端末１の着信音量と、判定した着信音量とが同じ場合には音量の設定変更を行う必要はない。
【０１０５】
なお実施例２から実施例４において、電圧の検出回数が所定の基準値未満であった場合（例えば１０回未満の場合）においても実施例１と同様に、合計ポイントの算出は行わずに、移動状況の情報として「停止状態」の情報を着信制御部５に渡すだけであっても良いし、移動状況判定部４において判定した「停止状態」が所定回数だけ連続して同じ状態の場合（「停止状態」）の場合に限って、移動状況として「停止状態」の情報を着信制御部５に渡すように構成しても良い。例えば実施例２から実施例４においても、「電圧検出回数が０〜９回」で、「電圧が基準値を超えた回数が一定回数未満」、「面積が基準値未満」、「電圧の差の絶対値の総和が一定値未満」の状態により「停止状態」と判定された場合であっても、それが連続して４回目までの判定であれば、「停止状態」の情報は着信制御部５に渡されないように構成しても良い。更に、「電圧検出回数が０〜９回」で、「電圧が基準値を超えた回数が一定回数以上」、「面積が基準値以上」、「電圧の差の絶対値の総和が一定値以上」の状態により「停止状態」と判定された場合であっても、それが連続して９回目までの判定であれば、「停止状態」の情報は着信制御部５に渡されないように構成しても良い。
【０１０６】
また実施例２から実施例４において、着信音量の設定に代えて、バイブレーション機能のＯＮ，ＯＦＦの設定を行えることも実施例１と同様である。
【産業上の利用可能性】
【０１０７】
本発明によって、携帯端末１の所持者が静止していると判定される場合に、着信拒否の設定に変更し、または着信音やバイブレーション機能を行わない設定へと自動的に変更し、携帯端末１の所持者が移動していると判定される場合に、着信許可の設定に変更し、または着信音やバイブレーション機能を行う設定へと自動的に変更する携帯端末１が可能となる。これによって、携帯端末１の所持者は、着信音量やバイブレーション機能をオフにする設定を失念する懸念が減ることとなる。また振動の回数と平均振幅、振幅により算出される値などをポイント化して処理することによって、着信音量やバイブレーション機能などのレベルを考慮した設定をすることが出来る。これによって、所持者の移動状況に応じた着信許可／拒否の設定、着信音やバイブレーション機能などの設定を的確に行うことが出来る。
【図面の簡単な説明】
【０１０８】
【図１】本発明の携帯端末のシステム構成の一例を示す概念図である。
【図２】本発明の処理プロセスの一例を示すフローチャートである。
【図３】記録部の一例を模式的に示す図である。
【図４】図３（ｂ）における記録方式の概念図である。
【図５】電圧の検出回数と平均電圧とを用いて移動状況を判定する判定処理を模式的に示した一例である。
【図６】合計ポイントと着信音量との対応関係を模式的に示した一例である。
【図７】実施例２の移動状況の判定処理を模式的に示した図である。
【図８】実施例２の判定処理におけるポイントの関係を模式的に示した図である。
【図９】実施例３の概念を模式的に示した図である。
【図１０】実施例３の移動状況の判定処理を模式的に示した図である。
【図１１】実施例３における面積の他の算出方法の概念を模式的に示した図である。
【図１２】実施例３の判定処理におけるポイントの関係を模式的に示した図である。
【図１３】実施例３における面積の他の算出方法の概念を模式的に示した図である。
【図１４】実施例４の概念を模式的に示した図である。
【図１５】実施例４の移動状況の判定処理を模式的に示した図である。
【図１６】実施例４の判定処理におけるポイントの関係を模式的に示した図である。
【符号の説明】
【０１０９】
１：携帯端末
２：加速度センサー
３：記録部
４：移動状況判定部
５：着信制御部
【図１】
2008148155.tif 000003
【図２】
2008148155.tif 000004
【図３】
2008148155.tif 000005
【図４】
2008148155.tif 000006
【図５】
2008148155.tif 000007
【図６】
2008148155.tif 000008
【図７】
2008148155.tif 000009
【図８】
2008148155.tif 000010
【図９】
2008148155.tif 000011
【図１０】
2008148155.tif 000012
【図１１】
2008148155.tif 000013
【図１２】
2008148155.tif 000014
【図１３】
2008148155.tif 000015
【図１４】
2008148155.tif 000016
【図１５】
2008148155.tif 000017
【図１６】
2008148155.tif 000018
【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
加速度センサーを備えた携帯端末であって、
前記加速度センサーで検出した単位時間あたりの、所定値以上の大きさの電圧を検出した電圧検出回数と、その電圧の大きさに関する情報を記録する記録部と、
前記記録部に記録した単位時間あたりの電圧検出回数に基づいて、予め定められた所定時間内の電圧検出回数を判定し、且つ前記電圧検出回数と前記電圧の大きさに関する情報との双方を用いて、前記携帯端末の所持者の移動状況を判定する移動状況判定部と、
前記移動状況の変化にあわせて、前記携帯端末における着信許可／拒否の設定、着信音が鳴るかならないかの設定、着信音量の設定、バイブレーション機能の設定のうち、いずれか一以上を行う着信制御部と、
を有することを特徴とする携帯端末。
【請求項２】
加速度センサーを備えた携帯端末であって、
前記加速度センサーで所定値以上の大きさの電圧を検出した時刻とその電圧の大きさに関する情報を記録する記録部と、
予め定められた所定時間内の電圧の検出回数を前記記録部に記録した情報に基づいて判定し、且つ前記電圧検出回数と前記電圧の大きさに関する情報との双方を用いて、前記携帯端末の所持者の移動状況を判定する移動状況判定部と、
前記移動状況の変化にあわせて、前記携帯端末における着信許可／拒否の設定、着信音が鳴るかならないかの設定、着信音量の設定、バイブレーション機能の設定のうち、いずれか一以上を行う着信制御部と、
を有することを特徴とする携帯端末。
【請求項３】
前記移動状況判定部は、
前記所定時間内の電圧の大きさの平均値である平均電圧を前記記録部に記録した情報に基づいて算出し、前記電圧検出回数及び前記平均電圧を用いて、前記携帯端末の所持者の移動状況を判定し、
前記着信制御部は、
前記判定した移動状況に基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項４】
前記移動状況判定部は、
前記所定時間内の電圧の大きさの平均値である平均電圧を前記記録部に記録した情報に基づいて算出し、前記電圧検出回数及び前記平均電圧を用いて、前記携帯端末の所持者の移動状況を判定し、且つ、前記電圧検出回数に応じたポイントを判定し、前記平均電圧に応じたポイントを判定し、それらの各ポイントを演算することにより合計ポイントを算出し、
前記移動状況と前記合計ポイントとを前記着信制御部に渡し、
前記着信制御部は、
前記判定した移動状況と合計ポイントとに基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項５】
前記移動状況判定部は、
前記電圧検出回数と、前記電圧の大きさが基準値を超えた回数とを用いて前記携帯端末の所持者の移動状況を判定し、
前記着信制御部は、
前記判定した移動状況に基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項６】
前記移動状況判定部は、
前記電圧検出回数と、前記電圧の大きさが基準値を超えた回数とを用いて前記携帯端末の所持者の移動状況を判定し、且つ、前記電圧検出回数に応じたポイントを判定し、前記電圧の大きさが基準値を超えた回数に応じたポイントを判定し、それらの各ポイントを演算することにより合計ポイントを算出し、
前記移動状況と前記合計ポイントとを前記着信制御部に渡し、
前記着信制御部は、
前記判定した移動状況と合計ポイントとに基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項７】
前記移動状況判定部は、
前記所定時間における電圧の大きさが所定値未満になった時点と電圧の大きさとによって構成される、所定時間に対する任意の形状の面積を算出し、前記電圧検出回数と前記面積とを用いて前記携帯端末の所持者の移動状況を判定し、
前記着信制御部は、
前記判定した移動状況に基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項８】
前記移動状況判定部は、
前記所定時間における電圧の大きさが所定値未満になった時点と電圧の大きさとによって構成される、所定時間に対する任意の形状の面積を算出し、前記電圧検出回数と前記面積とを用いて前記携帯端末の所持者の移動状況を判定し、且つ、前記電圧検出回数に応じたポイントを判定し、前記面積に応じたポイントを判定し、それらの各ポイントを演算することにより合計ポイントを算出し、
前記着信制御部は、
前記判定した移動状況と合計ポイントとに基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項９】
前記移動状況判定部は、
前記所定時間における単位時間と電圧の大きさとによって構成される、所定時間に対する任意の形状の面積を算出し、前記電圧検出回数と前記面積とを用いて前記携帯端末の所持者の移動状況を判定し、
前記着信制御部は、
前記判定した移動状況に基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項１０】
前記移動状況判定部は、
前記所定時間における単位時間と電圧の大きさとによって構成される、所定時間に対する任意の形状の面積を算出し、前記電圧検出回数と前記面積とを用いて前記携帯端末の所持者の移動状況を判定し、且つ、前記電圧検出回数に応じたポイントを判定し、前記面積に応じたポイントを判定し、それらの各ポイントを演算することにより合計ポイントを算出し、
前記着信制御部は、
前記判定した移動状況と合計ポイントとに基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項１１】
前記移動状況判定部は、
前記記録部に記録した情報のうち、前記検出した電圧の大きさと、所定数前に検出した電圧の大きさとの差の絶対値の総和と、前記電圧検出回数とを用いて、前記携帯端末の所持者の移動状況を判定し、
前記着信制御部は、
前記判定した移動状況に基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項１２】
前記移動状況判定部は、
前記記録部に記録した情報のうち、前記検出した電圧の大きさと、所定数前に検出した電圧の大きさとの差の絶対値の総和と、前記電圧検出回数とを用いて、前記携帯端末の所持者の移動状況を判定し、且つ、前記電圧検出回数に応じたポイントを判定し、前記総和に応じたポイントを判定し、それらの各ポイントを演算することにより合計ポイントを算出し、
前記着信制御部は、
前記判定した移動状況と合計ポイントとに基づいて、前記携帯端末における着信許可／拒否の設定、着信音が鳴るかならないかの設定、着信音量の設定、バイブレーション機能の設定のうち、いずれか一以上を行う、
ことを特徴とする請求項１または請求項２に記載の携帯端末。
【請求項１３】
前記移動状況判定部は、
前記判定した移動状況が「停止状態」を示す情報である場合には、その状態が予め定められた回数だけ連続して同じ状態である場合に、前記判定した移動状況を前記着信制御部に渡す、
ことを特徴とする請求項３から請求項１２のいずれかに記載の携帯端末。
【手続補正２】
【補正対象書類名】明細書
【補正対象項目名】００１０
【補正方法】変更
【補正の内容】
【００１０】
請求項１の発明は、加速度センサーを備えた携帯端末であって、前記加速度センサーで検出した単位時間あたりの、所定値以上の大きさの電圧を検出した電圧検出回数と、その電圧の大きさに関する情報を記録する記録部と、前記記録部に記録した単位時間あたりの電圧検出回数に基づいて、予め定められた所定時間内の電圧検出回数を判定し、且つ前記電圧検出回数と前記電圧の大きさに関する情報との双方を用いて、前記携帯端末の所持者の移動状況を判定する移動状況判定部と、前記移動状況の変化にあわせて、前記携帯端末における着信許可／拒否の設定、着信音が鳴るかならないかの設定、着信音量の設定、バイブレーション機能の設定のうち、いずれか一以上を行う着信制御部と、を有する携帯端末である。
【手続補正３】
【補正対象書類名】明細書
【補正対象項目名】００１２
【補正方法】変更
【補正の内容】
【００１２】
請求項２の発明は、加速度センサーを備えた携帯端末であって、前記加速度センサーで所定値以上の大きさの電圧を検出した時刻とその電圧の大きさに関する情報を記録する記録部と、予め定められた所定時間内の電圧の検出回数を前記記録部に記録した情報に基づいて判定し、且つ前記電圧検出回数と前記電圧の大きさに関する情報との双方を用いて、前記携帯端末の所持者の移動状況を判定する移動状況判定部と、前記移動状況の変化にあわせて、前記携帯端末における着信許可／拒否の設定、着信音が鳴るかならないかの設定、着信音量の設定、バイブレーション機能の設定のうち、いずれか一以上を行う着信制御部と、を有する携帯端末である。